(57)【要約】    本発明は、ロータの前面から進入する風を全て利用して回転力を発生し、より良好な風力発電を行うことが可能な風力発電用の偏心デュアルロータ構造に関する。  本発明の風力発電用の偏心デュアルロータ構造は、主軸を回転自在に支持する支持構造体と；主軸から延びた支持バーにより回転自在に支持された第１回転軸に装着された円筒状の回転枠、及び回転枠の外側に装着され、風力が羽根構造体に作用して回転枠を前方向に回転させる複数の羽根構造体から成る第１ロータと；第１ロータと対称的な構造を有し、主軸から延びた別の支持バーに回転自在に支持された第２回転軸に装着された円筒状の回転枠、及び回転枠の外側に装着され、風力が羽根構造体に作用して回転枠を逆方向に回転させる複数の羽根構造体から成る第２ロータと；主軸の正面に位置するように主軸に装着され、第１及び第２ロータの間を流れる風を第１及び第２ロータの正面に案内する案内部材と；第１及び第２ロータの回転によって発生された動力を発電機に伝達する動力伝達装置とを備える。
2013504711.tif 000002
【特許請求の範囲】
【請求項１】
主軸（１６０）を回転自在に支持する支持構造体（１１０）と、
主軸（１６０）から延びた支持バー（１６１）により回転自在に支持された第１回転軸（１２１）に装着された円筒状の回転枠（１２２）、及び回転枠（１２２）の外側に装着され、風力が羽根構造体（１２３）に作用して前記回転枠（１２２）を前方向に回転させる複数の羽根構造体（１２３）から成る第１ロータ(１２０)と、
第１ロータ(１２０)と対称的な構造を有し、主軸（１６０）から延びた別の支持バー（１６１）に回転自在に支持された第２回転軸（１３１）に装着された円筒状の回転枠（１３２）、及び回転枠（１３２）の外側に装着され、風力が羽根構造体（１２３）に作用して回転枠（１３２）を逆方向に回転させる複数の羽根構造体（１３３）から成る第２ロータ(１３０)と、
主軸（１６０）の正面に位置するように主軸（１６０）に装着され、第１及び第２ロータ(１２０、１３０)の間を流れる風を第１及び第２ロータ(１２０、１３０)の正面に案内する案内部材（１４０）と、
第１及び第２ロータ(１２０、１３０)の回転によって発生された動力を発電機に伝達する動力伝達装置（１５０）と、
を備えたことを特徴とする風力発電用偏心デュアルロータ構造。
【請求項２】
案内部材（１４０）は主軸（１６０）の前面に配置され、第１及び第２ロータ(１２０、１３０)は、主軸（１６０）の後方側に主軸（１６０）及び案内部材（１４０）の各中心を結ぶ線（Ｌ）を基準に対称的に設置され、案内部材（１４０）と第１及び第２ロータ(１２０、１３０)が主軸と共に回転することで風向きに応じて案内部材（１４０）と第１及び第２ロータ(１２０、１３０)の向きを変えることを特徴とする請求の範囲第１項に記載の風力発電用偏心デュアルロータ構造。
【請求項３】
第１及び第２ロータ(１２０、１３０)が、連動して回転するように動力結合装置（１８０）によって相互に連結され、第１及び第２回転軸（１２１、１３１）のいずれか一方が動力伝達装置（１５０）を介して動力を発電機に伝達することを特徴とする請求の範囲第１項に記載の風力発電用偏心デュアルロータ構造。
【請求項４】
動力結合装置（１８０）は連結棒（１８１）またはギア列（１８２）であることを特徴とする請求の範囲第３項に記載の風力発電用偏心デュアルロータ構造。
【請求項５】
動力伝達装置（１５０）は、第１回転軸（１２１）または第２回転軸（１３１）に装着された第１タイミングプーリ(１５１)と、主軸（１６０）を内部に含む二重軸構造を形成して主軸（１６０）の周囲を回転し、発電機に連結されて発電機に動力を伝達する動力伝達軸（１５３）と、動力伝達軸（１５３）に装着された第２タイミングプーリ(１５２)と、第１及び第２タイミングプーリ(１５１、１５２)を連結するタイミングベルト（１５４）とから成ることを特徴とする請求の範囲第３項または第４項に記載の風力発電用偏心デュアルロータ構造。
【請求項６】
第１ロータ(１２０)の羽根構造体（１２３）は、回転枠（１２２）から突出して形成された複数の羽根固定部（１２３ａ）と、羽根固定部（１２３ａ）に固定された複数の弾性羽根固定板（１２３ｂ）と、複数の羽根（１２３ｃ）とから成り、各羽根（１２３ｃ）はその中央と端部の間で羽根固定板（１２３ｂ）の片側に対し、羽根固定部（１２３ａ）間に形成される空間（Ｓ１）を開閉するように固定され、空間（Ｓ１）を開くように回転するとき各羽根（１２３ｃ）の一方端が回転枠（１２２）の外側へ突出し、第２ロータ(１３０)の羽根構造体（１３３）は、回転枠（１３２）から突出して形成された複数の羽根固定部（１３３ａ）と、羽根固定部（１３３ａ）に固定された複数の弾性羽根固定板（１３３ｂ）と、複数の羽根（１３３ｃ）とから成り、各羽根（１３３ｃ）はその中央と端部の間で羽根固定板（１３３ｂ）の片側に対し、羽根固定部（１３３ａ）間に形成される空間（Ｓ２）を開閉するように固定され、空間（Ｓ２）を開くように回転するとき各羽根（１３３ｃ）の一方端が回転枠（１２２）の外側へ突出することを特徴とする請求の範囲第１項に記載の風力発電用偏心デュアルロータ構造。
【請求項７】
前記支持構造体（１１０）は、
左右上側辺（１１１ａ、１１１ｂ）、左右下側辺（１１１ｃ、１１１ｄ）、及び底辺（１１１ｅ）を有する正五角形の平面構造を成し、主軸（１６０）の頂部を回転自在に支持する頂部支持部（１１１）と、
頂部支持部（１１１）の直下に逆向きの正五角形構造を有するように形成され、主軸（１６０）の底部を回転自在に支持し、左右上側辺（１１２ａ、１１２ｂ）、左右下側辺（１１２ｃ、１１２ｄ）、及び底辺（１１２ｅ）を有する正五角形の平面構造を成す底部支持部（１１２）と、
頂部支持部（１１１）と底部支持部（１１２）の各頂点を接続する複数の接続部（１１３）で、頂部支持部（１１１）の１つの頂点を底部支持部（１１２）の２つの頂点に接続して三角形状のトラス構造を成す多数の側面を形成する複数の接続部（１１３）と、
を備えたことを特徴とする請求の範囲第１項に記載の風力発電用偏心デュアルロータ構造。
【発明の詳細な説明】
【技術分野】
【０００１】
本発明は風力発電装置で用いられるロータ構造に関し、特に主軸を挟んで対称に配置された２個のロータと、２個のロータの間を流れる風を２個のロータの正面へ導く案内部材とを備え、風力を効率的に利用する風力発電用の偏心デュアルロータ構造に関する。
【背景技術】
【０００２】
化石エネルギー資源は枯渇の危険があるばかりか、地球環境を汚染するため、さまざまな国の科学者が、代替エネルギー源つまり環境を汚染しないグリーンエネルギー源を枯渇させることなしに利用できる装置を熱心に探究してきた。このような代替グリーンエネルギーには、太陽エネルギー、風力エネルギー、海流エネルギー、潮流エネルギー、地熱エネルギー、バイオ熱エネルギーが含まれる。風のエネルギーを利用して電気を作り出す手段として、風力発電機も使われてきた。
【０００３】
一般に風力発電機は、地面に対し平行に設置される回転軸を有する水平軸風力発電機と、地面に対し垂直に設置される回転軸を有する垂直軸風力発電機とに分類され得る。水平軸風力発電機は、より一般的に使用され、発電効率を高められる利点を有する。しかしながら風向きが頻繁に変化したり、突風など強風が吹く場合には円滑に発電を行うのが難しい。また、ロータを含む主な構成物が高い位置に設置されるため、メインテナンスが容易でなく、台風などの強風に対しても構造上弱いという欠点がある。
【０００４】
一方、垂直軸風力発電機は風向き、風速、風の強さに関係なく発電でき、増速機、発電機といった主な構成物のメインテナンスも容易であるという利点がある。従って、垂直軸風力発電機の研究が数多く進められている。
【０００５】
垂直軸風力発電機は、円筒状回転枠の外側に設置された複数の羽根を有し、風のエネルギーを機械エネルギーに変える円筒状のロータと、ロータから機械エネルギーを受け、それを電気エネルギーに変える発電機を備える。
【０００６】
図１は、ロータの平面図である。
【０００７】
回転枠（１１）の外側に複数の羽根（１２）を備えた円筒状のロータ（１０）の場合、風力がロータの回転方向と風向きが同じである（Ａ）側に位置した羽根に作用し、それによってロータを回転させる回転力を生み出す。ロータの回転方向と風向きが逆である（Ｂ）側に位置した羽根は、ロータの回転力を減少させる抵抗を生じる。
【０００８】
どちらか一方向のみに吹く風がロータの中心に設置された回転軸を基準に円筒状のロータを回転させるため、風のエネルギーを十分に利用できないという問題がある。
【発明の概要】
【発明が解決しようとする課題】
【０００９】
従って、本発明は関連技術における上記の問題を解決すべく為されたものであり、本発明の目的は、ロータの前面に向けて吹く全ての風を利用して回転力を発生させることができ、それによって風のエネルギーを効率的に利用可能な風力発電用の偏心デュアルロータ構造を提供することにある。
【００１０】
本発明の別の目的は、同じ発電容量を基準として、小型のロータを用いることでロータの製造コストを削減し、ロータの操作が容易で生産性を高められる風力発電用の偏心デュアルロータ構造を提供することにある。
【課題を解決するための手段】
【００１１】
上記の目的を達成するため、本発明による風力発電用偏心デュアルロータ構造は、主軸を回転自在に支持する支持構造体と；主軸から延びた支持バーにより回転自在に支持された第１回転軸に装着された円筒状の回転枠、及び回転枠の外側に装着され、風力が羽根構造体に作用して回転枠を前方向に回転させる複数の羽根構造体から成る第１ロータと；第１ロータと対称的な構造を有し、主軸から延びた別の支持バーに回転自在に支持された第２回転軸に装着された円筒状の回転枠、及び回転枠の外側に装着され、風力が羽根構造体に作用して回転枠を逆方向に回転させる複数の羽根構造体から成る第２ロータと；主軸に装着されて主軸の正面に位置し、第１及び第２ロータの間を流れる風を第１及び第２ロータの正面に案内する案内部材と；第１及び第２ロータの回転によって発生された動力を発電機に伝達する動力伝達装置とを備える。
【００１２】
案内部材は主軸の前面に配置され、第１及び第２ロータは、主軸の後方側に主軸及び案内部材の各中心を結ぶ線を基準に対称的に設置され、案内部材と第１及び第２ロータが主軸と共に回転することで風向きに応じて案内部材（１４０）と第１及び第２ロータ(１２０、１３０)の向きを変える。
【００１３】
第１及び第２ロータは、動力結合装置によって相互に連結され、相互に連動して回転し、第１回転軸及び第２回転軸のいずれか一方が動力伝達装置を介して動力を発電機に伝達する。
【００１４】
この場合、動力結合装置は連結棒またはギア列である。
【００１５】
動力伝達装置は、第１回転軸又は第２回転軸に装着された第１タイミングプーリと、主軸を内部に含む二重軸構造を形成して主軸の周囲を回転し、発電機に連結されて発電機に動力を伝える動力伝達軸と、動力伝達軸に装着された第２タイミングプーリと、第１及び第２タイミングプーリを連結するタイミングベルトとから成る。
【００１６】
第１ロータの羽根構造体は、回転枠から突出する複数の羽根固定部と、羽根固定部にそれぞれ固定された複数の弾性羽根固定板と、複数の羽根とから成り、各羽根はその中央と端部の間の領域が羽根固定板の片側に装着固定されることで、羽根固定部間に形成される空間を開閉し、回転枠が空間を開くように回転するとき一方の端部が回転枠の外側へ突出する。
【００１７】
第２ロータの羽根構造体は、回転枠から突出して形成された複数の羽根固定部と、羽根固定部にそれぞれ固定された複数の弾性羽根固定板と、複数の羽根とから成り、各羽根はその中央と端部の間の領域が羽根固定板の片側に装着固定されることで、羽根固定部間に形成される空間を開閉し、回転枠が空間を開くように回転するとき一方の端部が回転枠の外側へ突出する。
【発明の効果】
【００１８】
本発明の上記の構成によれば、案内部材が第１及び第２ロータの間を流れる風を第１及び第２ロータの前面に案内し、前方から吹く全ての風を利用して回転力を生み、それによって風のエネルギーを効率的に利用できる。
【００１９】
前方から吹くすべての風を回転力を発生するために使えるため、関連技術のロータと比べより小型のロータでより大きい回転力が得られ、同じ発電容量を基準とした場合ロータのサイズを減少できる。従って、ロータの製造コストを大幅に削減でき、かつロータの製造や取り扱いが容易となる。
【００２０】
本発明の上記の目的及び他の特徴や利点は、添付の図を参照した好適な実施態様の説明から一層明白になるであろう。
【図面の簡単な説明】
【００２１】
【図１】関連技術によるロータの平面図である。
【図２】本発明の好適な実施例によるデュアルロータ構造の平面図である。
【図３】本発明の好適な実施例によるデュアルロータ構造の正面図である。
【図４】本発明による支持構造体の透視図である。
【図５】本発明による第１ロータの平面図である。
【図６】本発明による第１ロータの部分詳細図である。
【図７】本発明による第２ロータの平面図である。
【図８】本発明による第２ロータの部分詳細図である。
【図９】本発明による動力伝達装置の構成を示す詳細図である。
【図１０】連結棒による第１及び第２ロータの相互連結状態を示す平面図である。
【図１１】ギア列による第１及び第２ロータの相互連結状態を示す平面図である。
【図１２】本発明による偏心デュアルロータ構造に向かって吹く風の流れの状態を示す平面図である。
【発明を実施するための形態】
【００２２】
以下、添付の図面を参照して、本発明の好適な実施例を詳細に説明する。
【００２３】
図２は本発明の好適な実施例によるデュアルロータ構造の平面図であり、図３は本発明の好適な実施例によるデュアルロータ構造の正面図である。
【００２４】
本発明の偏心デュアルロータ構造は、風力発電のために２個のロータを用いて動力を生み出すよう構成されており、２個のロータの前面に向かって吹く全ての風を利用して動力を生み出すことを特徴とする。偏心デュアルロータ構造は支持構造体（１１０）、第１ロータ(１２０)、第２ロータ(１３０)、案内部材（１４０）、及び動力伝達装置（１５０）から成る。
【００２５】
支持構造体（１１０）は第１及び第２ロータ(１２０、１３０)を支持する主軸（１６０）を回転可能に支持するように構成されている。支持構造体（１１０）は、主軸（１６０）の頂部／底部を軸受けによって支持し、主軸（１６０）を回転可能に支持するように構成してもよい。
【００２６】
支持構造体（１１０）は様々な構造で構成し得る。上記の支持構造体（１１０）は第１及び第２ロータ(１２０、１３０)を支持する主軸（１６０）をしっかりと支持する一方、第１及び第２ロータ(１２０、１３０)のメインテナンス用の空間を容易に確保するように構成されることが推奨される。
【００２７】
図４は、本発明による支持構造体の透視図を示す。
【００２８】
本発明の支持構造体（１１０）は主軸（１６０）の頂部を回転可能に支持する頂部支持部（１１１）と、主軸（１６０）の底部を回転可能に支持する底部支持部（１１２）と、頂部支持部（１１１）及び底部支持部（１１２）を接続する接続部（１１３）とから成る。
【００２９】
頂部支持部（１１１）は、左右上側辺（１１１ａ、１１１ｂ）、左右下側辺（１１１ｃ、１１１ｄ）、及び底辺（１１１ｅ）を有する正五角形の平面構造で形成される。
【００３０】
底部支持部（１１２）は、左右上側辺（１１２ａ、１１２ｂ）、左右下側辺（１１２ｃ、１１２ｄ）、及び底辺（１１２ｅ）を有する正五角形の平面構造で形成される。
【００３１】
底部支持部（１１２）の左右上側辺（１１２ａ、１１２ｂ）は頂部支持部（１１１）の底辺（１１１ｅ）の真下に配置され、底部支持部（１１２）の底辺（１１２ｅ）は頂部支持部（１１１）の左右上側辺（１１１ａ、１１１ｂ）の真下に配置される。
【００３２】
その結果頂部支持部（１１１）のいずれかの一辺と対角方向に位置した底部支持部（１１２）のいずれかの一辺は平行状態に維持される。上記の構造により、頂部支持部（１１１）と底部支持部（１１２）は、相互に逆向きの五角形構造を有する。
【００３３】
接続部（１１３）は頂部支持部（１１１）と底部支持部（１１２）を接続し、頂部支持部（１１１）のいずれかの１つの頂点と底部支持部（１１２）の２つの頂点を接続することで、支持構造体（１１０）の側面に三角形状のトラス構造が形成されるよう構成される。
【００３４】
上記の支持構造体（１１０）の構造によれば、第１及び第２ロータ(１２０、１３０)がしっかりと支持されることができ、第１及び第２ロータ(１２０、１３０)のメインテナンス用の空間を確保するために頂部支持部（１１１）または底部支持部（１１２）の一辺を取り外したとしても、主軸（１６０）は支持構造体（１１０）を崩すことなくしっかりと支持され得る。従って、ロータ構造の保守の際にも便利である。
【００３５】
図５は本発明における第１ロータの平面図であり、図６は本発明における第１ロータの部分詳細図である。
【００３６】
第１ロータ(１２０)は、主軸（１６０）から延びる支持バー（１６１）によって支持された第１回転軸（１２１）に装着された円筒状の回転枠（１２２）と、回転枠（１２２）の外側に設置され、風力が羽根構造体(１２３)に作用して回転枠（１２２）を前方向に回転させる複数の羽根構造体(１２３)とから成る。
【００３７】
ここで、羽根構造体(１２３)は、回転枠（１２２）の外側から突き出て一様の間隔で配置された複数の羽根固定部（１２３ａ）と、羽根固定部（１２３ａ）にそれぞれ固定された複数の弾性羽根固定板（１２３ｂ）と、それぞれがその中央と端部の間で羽根固定板（１２３ｂ）の片側に装着固定されて羽根固定部（１２３ａ）間に形成される空間（Ｓ１）を開閉する複数の羽根(１２３ｃ)とを有する。各羽根（１２３ｃ）の一方の端部は回転するとき空間（Ｓ１）を開くように回転枠（１２２）の外側に突出する。
【００３８】
図７は本発明における第２ロータの平面図であり、図８は本願における第２ロータの部分詳細図である。
【００３９】
第２ロータ(１３０)は、主軸（１６０）から延びる別の支持バー（１６２）によって支持された第２回転軸（１３１）に装着された円筒状の回転枠（１３２）と、回転枠（１３２）の外側に設置され、風力が羽根構造体（１３３）に作用して回転枠（１３２）を逆方向に回転させる複数の羽根構造体(１３３)から成る。その結果、第２ロータ（１３０）は第１ロータ（１２０）と対称な構造を有する。
【００４０】
ここで、羽根構造体(１３３)は、回転枠（１３２）の外側から一様な距離だけそれぞれ突き出た複数の羽根固定部（１３３ａ）と、羽根固定部（１３３ａ）に固定された複数の弾性羽根固定板（１３３ｂ）と、複数の羽根(１３３ｃ)とを有する。各羽根（１３３ｃ）はその中央と端部の間で羽根固定板（１３３ｂ）の片側に装着固定されることによって羽根固定部（１３３ａ）間に形成される空間（Ｓ２）は開閉し、各羽根（１３３ｃ）の一方の端部は回転するとき空間（Ｓ２）を開くように回転枠（１３２）の外側に突出する。
【００４１】
第１ロータ(１２０)と第２ロータ(１３０)の上記の構造によれば、風力が作用する空間（Ｓ１、Ｓ２）が開くとき、羽根（１２３ｃ、１３３ｃ）の端部が回転枠（１２２，１３２）から外側に突き出る構成となっているため、空間（Ｓ１、Ｓ２）が羽根（１２３ｃ、１３３ｃ）で閉じられるタイミングを遅らせることができる。従って、風のエネルギーをより効率的に利用可能になるという利点がある。
【００４２】
一方、図２に示す案内部材（１４０）は、第１及び第２ロータ(１２０、１３０)の間を吹く風を第１及び第２ロータ(１２０、１３０)の前面、すなわち風を受けて回転力を発生させる面に案内する。従って、第１及び第２ロータ(１２０、１３０)は前面から吹く全ての風を利用する。
【００４３】
案内部材（１４０）は、主軸（１６０）の前面に位置するように主軸（１６０）に装着され、第１及び第２ロータ(１２０、１３０)と共に回るように主軸（１６０）に構成されている。案内部材（１４０）は三角形などの平面構造で形成され、前方端部は尖っており前方から後方側へ進むに従い表面積が増大し、それによって第１及び第２ロータ(１２０、１３０)間を吹く風を両側に分散させる。
【００４４】
第１及び第２ロータ(１２０、１３０)及び案内部材（１４０）を主軸（１６０）に装着する際、案内部材（１４０）は主軸（１６０）の前面に位置し、第１及び第２ロータ(１２０、１３０)は、主軸（１６０）の後方で案内部材（１４０）の中心と主軸（１６０）の中心を結ぶ線（Ｌ）を基準にして対称的に配置される。その結果、案内部材（１４０）と第１及び第２ロータ(１２０、１３０)は構造的に三角形状に配置され、主軸（１６０）は案内部材（１４０）と第１及び第２ロータ(１２０、１３０)で形成される三角形に位置する。
【００４５】
上記の構成によれば、案内部材（１４０）、第１及び第２ロータ(１２０、１３０)と主軸（１６０）は、案内部材（１４０）と、第１及び第２ロータ(１２０、１３０)に作用する風の向きによって回り、第１及び第２ロータ(１２０、１３０)の向きは、風に向かうように変化する。風が同じ風速で吹くならば案内部材（１４０）と比べ第１及び第２ロータ(１２０、１３０)には、両ロータ(１２０、１３０)と案内部材（１４０）の形状の相違から大きい圧力が加わる。また圧力の相違から、第１及び第２ロータ(１２０、１３０)及び案内部材（１４０）は、大きい圧力が加わる第１及び第２ロータ(１２０、１３０)が主軸（１６０）の後方に位置し、小さい圧力が加わる案内部材（１４０）が主軸（１６０）の前方に位置するように回る。
【００４６】
案内部材（１４０）と第１及び第２ロータ(１２０、１３０)の位置関係を説明するためにここでは「前」は、主軸（１６０）を基準として風が吹く方向に近い方向を意味し、「後」は、主軸（１６０）を基準として風が吹く方向から離れた方向を意味する。
【００４７】
図９は本発明による動力伝達装置の構成を示す詳細図、図１０は連結棒による第１及び第２ロータの相互連結状態を示す平面図、図１１はギア列による第１及び第２ロータの相互連結状態を示す平面図である。
【００４８】
動力伝達装置（１５０）は、第１及び第２ロータ(１２０、１３０)の回転によって生み出された動力を発電機（１７０）に伝達する。
【００４９】
第１ロータ（１２０）と第２ロータ(１３０)が、それぞれ動力伝達装置（１５０）を用いて発電機（１７０）に動力を伝達するように構成されている場合には構造が複雑となり製造コストが上昇する。従って第１及び第２ロータ(１２０、１３０)は相互に連動して回転させ、どちらか一方のロータだけを介して動力を発電機（１７０）に伝達することが望ましい。
【００５０】
第１及び第２ロータ(１２０、１３０)を相互に連動して回転させるため、第１及び第２ロータ(１２０、１３０)は動力結合装置（１８０）によって相互に連結される。
【００５１】
動力結合装置（１８０）は連結棒（１８１）またはギア列（１８２）を備えてもよい。連結棒（１８１）の一端が、第１回転軸（１２１）の頂部に延びて湾曲軸（１８１ａ）に連結され、連結棒（１８１）の他端が、第２回転軸（１３１）の頂部に延びて他方の湾曲軸（１８１ｂ）に連結される。この構成により、どちらか一方のロータが風で回転すると、連結棒（１８１）の位置が変化する。この連結棒（１８１）の位置変化が回転軸を介して他方のロータへ伝達されるため、第１及び第２ロータ(１２０、１３０)は相互に連動して回転する。
【００５２】
ギア列（１８２）は、相互に噛み合い、第１回転軸（１２１）と第２回転軸（１３１）にそれぞれ装着された第１ギア（１８２ａ）及び第２ギア（１８２ｂ）を有する。
【００５３】
上記のように第１及び第２ロータ(１２０、１３０)が相互に連動して回転する場合、動力伝達装置（１５０）は、第１回転軸（１２１）または第２回転軸（１３１）に装着された第１タイミングプーリ(１５１)と、主軸（１６０）を含む二重軸構造を構成し、主軸（１６０）の周りを回転し、発電機に接続されて動力を発電機に伝達する動力伝達軸（１５３）と、動力伝達軸（１５３）に装着された第２タイミングプーリ(１５２)と、第１及び第２タイミングプーリ(１５１、１５２)を連結するタイミングベルト(１５４)から成る。
【００５４】
発電機（１７０）と動力伝達軸（１５３）の接続は、ベルト、チェーンまたはギアのような動力伝達用の機械部品を用い、動力伝達軸（１５３）と先行技術で知られた発電機を接続することによって行われてもよい。代案として、本出願人に譲渡された韓国特許「風力発電機用の可変型発電機」(特許番号１０-０７４３４７５）のように、別個のブラケット（Ｂ）を用いて複数の磁石（１７１）を動力転送軸（１５３）とともに回転するように動力転送軸（１５３）に取り付け、また複数の磁石（１７１）に対応し複数の磁石に隣接する複数のコイル（１７２）を支持構造体（１１０）を用いて取り付けることによって、動力転送軸（１５３）と発電機（１７０）を直接接続してもよい。
【００５５】
図１２は、本発明による偏心デュアルロータ構造に向かって吹く風の流れの状態を示す平面図である。
【００５６】
上述の本発明による偏心デュアルロータ構造によって、第１及び第２ロータ(１２０、１３０)は風によって回転し、発電機（１７０）を動かす動力を生み出す。
【００５７】
風向きが変化すると、第１及び第２ロータ(１２０、１３０)と案内部材（１４０）は主軸（１６０）と一緒に回り、第１及び第２ロータの向きが変わる。
【００５８】
上述の通り、案内部材（１４０）と、第１及び第２ロータ(１２０、１３０)と、主軸（１６０）が回って風に向かうと、第１及び第２ロータ(１２０、１３０)の間を吹く風が案内部材（１４０）の両側面に沿って第１及び第２ロータ(１２０、１３０)の前面へと流れる。この場合、第１及び第２ロータ(１２０、１３０)は案内部材（１４０）によって案内されたその風と前面からの風を受けて、回転力を生み出す。本発明による偏心デュアルロータ構造は、動力を生み出す際に第１及び第２ロータ（１２０、１３０）の前面から吹く風を利用するという利点を有する。
【００５９】
第１ロータ（１２０）と第２ロータ(１３０)の回転時には、第１ロータ（１２０）と第２ロータ(１３０)が連結棒（１８１）またはギア列（１８２）と連動して回転する。
【００６０】
第１回転軸（１２１）または第２回転軸（１３１）に装着された第１タイミングプーリ(１５１)は動力転送軸（１５３）に装着された第２タイミングプーリ(１５２)とタイミングベルト(１５４)によって連結されているので、第１及び第２ロータ(１２０、１３０)の回転力が動力転送軸（１５３）に伝達されて動力転送軸（１５３）を回転させる。その動力転送軸（１５３）の回転力が発電機（１７０）に伝達されて発電を行う。
【００６１】
説明の目的で本発明の好適な実施例を述べてきたが、当業者によって、添付の特許請求の範囲に開示された発明の範囲と精神から逸脱することなく種々の変更、追加、置換が可能であることが理解されるであろう。
【符号の説明】
【００６２】
（１１０）：支持構造体、
（１１１）：頂部支持部、
（１１２）：底部支持部、
（１１３）：接続部、
（１２０）：第１ロータ、
（１２１）：第１回転軸、
（１２２）：回転枠、
（１２３）：羽根構造体、
（１２３ａ）：羽根固定部、
（１２３ｂ）：羽根固定板、
（１２３ｃ）：羽根、
（１３０）：第２ロータ、
（１３１）：第２回転軸、
（１３２）：回転枠、
（１３３）：羽根構造体、
（１３３ａ）：羽根固定部、
（１３３ｂ）：羽根固定板、
（１３３ｃ）：羽根、
（１４０）：案内部材、
（１５０）：動力伝達装置、
（１５１）：第１タイミングプーリ、
（１５２）：第２タイミングプーリ、
（１５３）：動力伝達軸、
（１５４）：タイミングベルト、
（１６０）：主軸、
（１６１）：支持バー、
（１６２）：支持バー、
（１８０）：動力結合装置、
（１８１）：連結負棒、
（１８２）：ギア列。
【図１】
2013504711.tif 000003
【図２】
2013504711.tif 000004
【図３】
2013504711.tif 000005
【図４】
2013504711.tif 000006
【図５】
2013504711.tif 000007
【図６】
2013504711.tif 000008
【図７】
2013504711.tif 000009
【図８】
2013504711.tif 000010
【図９】
2013504711.tif 000011
【図１０】
2013504711.tif 000012
【図１１】
2013504711.tif 000013
【図１２】
2013504711.tif 000014
【国際調査報告】
2013504711.tif 000015
2013504711.tif 000016
2013504711.tif 000017
2013504711.tif 000018